(57)【要約】      （修正有） 【課題】チェーン上に配置する装飾体をバランスのよい位置に移動可能とすると共に更には特定の場所に固定状態で維持可能として、引き輪等の重さによってもチェーンのずれのないネックレス或いはブレスレッド又はアンクレット等の装身具を提供する。【解決手段】少なくともチェーン３と装飾体２とを有する装身具の装飾体２に連接した連結部１２に挿通孔１２０を有し、挿通孔１２０にチェーン３を挿通すると共に、挿通孔１２０の径は少なくともチェーン３の太さと同一か或いはこれよりも小さい径を有するものであり、装飾体２をチェーン上において移動可能であると共に任意位置で固定状態に維持できる装身具。【選択図】図１
0003144410.tif 000002
【実用新案登録請求の範囲】
【請求項１】
少なくともチェーン３と装飾体２とを有する装身具であって、
該装飾体２に連接した連結部１２に挿通孔１２０を有し、
該挿通孔１２０にチェーン３を挿通するものであって、
該挿通孔１２０の径は少なくともチェーン３の太さと同一か或いはこれよりも小さい径を有するものであり、
前記装飾体２をチェーン３上において移動可能であると共に任意位置で固定状態に維持できることを特徴とする装身具。
【請求項２】
挿通孔１２０が挿通方向に隙間１２１ａを有する割りピン１２１によって構成されているものであって、
チェーン３を挿通した際に、該割りピン１２１の該隙間１２１ａが広がって弾圧力をもってチェーン３を挟み込むことを特徴とする請求項１記載の装身具。
【請求項３】
装飾体２を止着する土台１０に挿通孔１２０を有することを特徴とする請求項１又は２のいずれかに記載の装身具。
【請求項４】
該装飾体２自体に挿通孔１２０を有することを特徴とする請求項１又は２のいずれかに記載の装身具。
【考案の詳細な説明】
【技術分野】
【０００１】
本考案は、チェーン上において装飾体を移動できると共に任意位置に固定可能な装身具に関する。
【背景技術】
【０００２】
ネックレス、ブレスレッドなどの装身具は、通常所謂チェーンという紐状部材を介して用いられるものであり、例えばネックレスにおいてはチェーンの任意位置に装飾体を装着しており、該ネックレスを首に掛けることによって該装飾体が顔の下方方向において吊り下げられた状態で用いられるものである。
【０００３】
従って例えばネックレスの装飾体は予め貫通孔を有するリング部材によってチェーンと繋がっているものであり、該挿通孔にチェーンが貫通し、装飾体はチェーン上において自由に移動するものであり、装飾体の重量によって最下部に装飾体がぶら下げられるように構成されているものである。
或いはチェーンの任意位置に装飾体があらかじめ装着されており、装飾体の利用方向にチェーン部材が繋がって、両方向に一定の長さを持った上でそのチェーンの両端部同士を着脱自在につなげることによって装着時のネックレスとして構成するものもある。
【０００４】
特に現在においてはチェーンの長さが一定のものの他、チェーンの両端部同士をその端部同士ではなくチェーンの中間の任意位置で止め、チェーンの長さを調整可能としたものも存在する。
或いはチェーンの長さを 任意に調整可能として同一考案者の考案として実登第３０７０５７４号（特許文献１）が提唱されている。
これらの他ネックレスではなくブレスレットやアンクレットにおいても同様なものが用いられている。
【特許文献１】実登第３０７０５７４号
【考案の開示】
【考案が解決しようとする課題】
【０００５】
以上の様に、チェーンを用いた装身具は現在多用されているものであり、装飾体の多様性を担保すると共に体型に併せたチェーンの提供を可能としているものである。
しかし、まず装飾体がチェーンに自由に移動可能に装着されているもの、即ち装飾体とチェーンとが装飾体に連接する連結部において挿通孔を有し、該挿通孔にチェーンが挿通すると共に該挿通孔はチェーンの外周径よりも広い孔を有して、自由にチェーン上を移動できるものとなる。
【０００６】
従って、例えば装飾体の交換が簡単であり、又移動装飾体による装飾性を楽しむことなどができるものとなる。
反面、例えばチェーンの端部同士は連結環や引き輪等によって、首周りに着脱自在にチェーンをつなげて輪状に構成することができるが、該チェーンをつなげるべき連結環や引き輪等の重みによって該連結環や引き輪等の部分がチェーンの下部にずり下がってしまうことが生じてしまう。
このことは装飾体と共にチェーンをつなげる引き輪部分などが表に出てしまうこととなり、極めて体裁の悪いものとなってしまう。
【０００７】
この場合、例えば装飾体が稼動するものではなく一定箇所に予め位置しており、装飾体の両側方向にそれぞれチェーンをつなげて、該チェーンの両端部に連結環や引き輪等を有して、これらを用いてチェーンをつなげることによってネックレスを装着状態とするものも存在する。
更に、装飾体の両側方向に繋がる夫々のチェーンが同じ長さであり、装飾体の正反対側に連結環や引き輪等が位置して重さのバランスが取れているものであればよいが、例えばチェーンの長さを任意に変えられるようにチェーンの途中においても該引き輪等でチェーンをつなげられるものや、或いはチェーンをつなげた状態で装飾体との両側に繋がるチェーンの長さが異なるものである場合等においては、このバランスを崩すこととなり、連結環や引き輪等の重さによってネックレスがずれてしまうこととなるものであった。
【０００８】
従って装飾体が最下部に位置せず斜め状態の位置にぶら下がってしまったり、引き輪等が正面から視認できる位置にずれてしまうことがあり、極めて体裁の悪い状態を表出するものとなっていた。
以上より、装飾体をバランスのよい位置に移動可能とすると共に更には特定の場所に固定状態で維持可能として、引き輪等の重さによってもチェーンのずれのないネックレス或いはブレスレッド又はアンクレット等の装身具の提供を課題とするものである。
【課題を解決するための手段】
【０００９】
係るため、請求項１に係る考案は、少なくともチェーンと装飾体とを有する装身具であって、該装飾体に連接した連結部に挿通孔を有し、該挿通孔にチェーンを挿通するものであって、該挿通孔の径は少なくともチェーンの太さと同一か或いはこれよりも小さい径を有するものであり、前記装飾体をチェーン上において移動可能であると共に任意位置で固定状態に維持できる装身具であって、かかる考案によって解決できる。
【００１０】
或いは、請求項２に係る考案のように、挿通孔が挿通方向に隙間を有する割りピンによって構成されているものであって、チェーンを挿通した際に、該割りピンの該隙間が広がって弾圧力をもってチェーンを挟み込む装身具であってもよい。
更には、請求項３に係る考案のように装飾体を止着する土台や請求項４に係る考案のように該装飾体自体に挿通孔を有する装身具でもよい。
【考案の効果】
【００１１】
以上のように構成したことから、チェーンとチェーン上に配置する装飾体とからなる装身具において、該装飾体を任意位置に移動することができるものであり、更には任意位置において固定状態で維持できることとなる。
従ってチェーン上においてバランスのよい装飾体の配置を可能とするものである。
このことから装身具を身につけた場合に引き輪の重みや装飾体の位置ずれによって装身具自体がズレ落ちてしまうことを防止できるものである。
更に割りピンによってチェーンを弾圧力をもって挟持できるものとなり、任意位置への移動と共に特定の場所での固定状態での装飾体の維持を可能とする。
【考案を実施するための最良の形態】
【００１２】
図１は、本考案に係る装身具の一例を示す図であり、ネックレスの装飾体にチェーン３が挿通しており、任意位置において固定状態で固着して一例を示す図である。
ネックレスを構成するチェーン３において本図はダイヤモンド２が止着部１１の爪で固定されており、該止着部１１を有する土台１０には更にチェーン３との連結を図る連結部１２が連接されている。
該連結部１２には挿通孔１２０を有して該挿通孔１２０内にチェーン３が挿通しているが、該挿通孔１２０はほぼチェーン３の太さと同じ程度の径かそれよりも小さい径を有するものである。
【００１３】
これによって、挿通孔１２０内にチェーン３を通すことができると共に移動できるが、一定箇所において固定可能とする。  この場合挿通孔１２０は例えば割りピン１２１を持って構成するものであってよい。
即ち円柱形状の筒１２１に関して、一枚の平板を丸めて円柱形状とするものであり、その平板を丸めて両端部を近接することによって丸め、その近接した両端部間において若干の隙間１２１ａを有する所謂割ピン形状である。
該隙間１２１ａは、挿通孔１２０の挿通方向において形成されているものとなる。
【００１４】
したがってこの隙間１２１ａを有することによってチェーン３を挿通した際に、該隙間が広がって弾圧力をもってチェーン３を挟み込むものとなる。
このことはチェーン３上での該挿通孔１２０による移動を可能とすると共に一定の任意位置で止めることによって該位置で弾圧力を持ってその状態の維持のできるいわゆる固定状態即ち固着を可能とすることとなる。
【００１５】
図２は、図１の連結部の断面図であり、特に装身具に連接する連結部１２の断面形状の一例を示す図である。
本図に示すように該連結部１２の外形は略球体からなり、該球体の中央部にはチェーン３を挿通するための割りピン１２１によって形作られた挿通孔１２０を有する。
本図においては上部に割りピン１２１の隙間１２１ａを有するものである。
尚、本図の割りピン１２１は一例であり、該隙間１２１ａは任意位置に任意形状で有するものであってもよい。
【００１６】
図３は、図２の連結部のＡ−Ａ線断面図であり、連結部１２の形状の一例を示す図である。
連結部１２の球形外形部分の軸心部分には割りピン１２１を有しており、特にチェーン３の太さよりもやや径が小さく構成されていることから、チェーン３を挿通した場合には該割りピン１２１の隙間部分１２１ａが広がった状態でチェーン３を挿通するものとなる。
尚、該連結部１２下部には土台１０の止着部１１によって止着された装飾体２を有している。
【００１７】
本図構成では装飾体２の土台１０に連結部１２が連設しているが、もともと装飾体２の土台１０自体や装飾体２自体に連結部１２を有するもの即ち装飾体２や土台１０の一部に挿通孔１２０を有するものであってもよく、或いは装飾体2や土台１０に他の連結環や連結紐部材等を介して連結部１２を有するものであってもよい。
【００１８】
図４は、図２の連結部のＢ−Ｂ線端面図である。
これは、連結部１２自体に球形のデザインが施された状態であり、これによっても全体としての装飾性を発揮することのできるものとなる。
尚、連結部１２の挿通孔１２０内にはチェーン３が挿通しているものである。
又、本図では割りピン１２１は連結部１２の突起によって位置決め設置されているが、これは一例であり、他の構成によって設置されるものであってももちろんよい。
【００１９】
図５は、本考案に係る連結部１２を有する装飾体２をチェーン３に用いた一例を示す図であり、希望する定位置まで装飾体２を移動することができると共に任意位置において固定状態で装飾体２を維持できるものである。
従って、バランスよく装飾体２を配置できるものであり、必要な場所にきっちりと位置させた上、身体に装着している際において不用意に該装飾体２の位置がずれることがなくなる。
【００２０】
図６は、例えばチェーン３をつなぐ際に装飾体２から引き輪４までの両側のチェーン３の長さが異なる場合の装着例を示す図である。
このように左右のバランスが崩れた場合に、今までのネックレスでは装飾体２の重さで装飾体２が真下方向になるように装着しているネックレスがずれてしまうものであり、更にこのズレは引き輪４の重さに基づく引き輪４部分の更なるずり落ちに繋がるものである。
従って極めて見栄えの悪い状態になってしまうものである。
【００２１】
これに対して本考案に係る連結部１２を有する装身具の場合には、該装飾体２を更に図６に示した位置から引き輪４の正反対方向でバランスのよい位置までにまでずらすことができると共に更には、該ずらしたバランスのよい位置を固定的に維持できるものとなり、ネックレスのズレ落ちなどを見事に解決できるものである。
【００２２】
図７は他の例を示す図であり、ネックレス下部に３つの装飾体２を配した一例を示す図である。
本考案に係る連結部１２を有する装飾体２を用いる他の応用例であり、例えば該３つの装飾体２をそれぞれバランスよく任意位置に固定状態で固着できると共に必要に応じて夫々の位置を任意位置に移動することもできる。
従って例えば一の装飾体２の両側に夫々近接して２つの装飾体２を位置させることもできると共に気分により該両側の２つの装飾体２を離れた位置に配して異なる外観となるネックレスとして形作ることもでき、各種のデザインを楽しむと共に極めてバランスのよい装着時にずれのないネックレス等の装身具の提供ができることとなる。
【００２３】
図８は、球形の連結部１２内の割りピン１２１内にチェーン３が挿通している状態の一例を示す図である。
以上のように本考案は極めて使い勝手のよい考案であるばかりでなく装着時におけるチェーン３の装飾体２の位置を任意位置に固定できるものであって、見栄えを浴すると共にまき輪４等の重さにより装着時のネックレスのズレ落ちなどを防止できるものである。
尚、これらに示す構成のほか、例えば球形の連結部１２の構成を別の形態としたもの例えば多面形状である構成や他の任意の各種の形態としたものであってもよい。
【００２４】
もとより連結部１２と装飾体２を固着する土台１０とを一体化したものでも、或いは連結部１２と装飾体２本体とを一体として装飾体２本体に挿通孔を有するものであっても、或いは別の連結部１２を介してチェーン３に連接しているものであってもよい。
又、本図構成においてチェーン３は球形の玉を多数連結した形状として示すが、これに限定されるものではなく、立方体形状や多角形状の部材を多数連結したものであっても、或いは輪状の連設体を多数連接した構成でもよい。
【００２５】
これらによって少なくとも、割りピン１２１内によって弾圧力をもって挿通するものであればよい。
尚、本図においてはネックレスを主として図示して説明するが、前述のようにこの本ブレスレットでもアンクレットに用いるものでもよい。
少なくともチェーン３と装飾体２とを有し、該装飾体２自体又はこれに連接した連結部１２に挿通孔１２０を有し、該挿通孔１２０がチェーン３を挿通すると共に該孔の径の大きさはチェーン３の太さと同一か或いはこれよりも小さい径を有するものであって、装飾体２をチェーン３上において移動可能であると共に任意位置で固定的に維持できる装身具であればよい。
【００２６】
尚、本図面上において装飾体２は一例として土台１０に爪によって装着されたダイヤモンドを明示するが、装飾体２はこれに限定されるものではなく、各種の宝玉や宝飾品、これらに限らず何らかの装飾を有する一般的に装飾体と考えられるものが該当するものである。
【図面の簡単な説明】
【００２７】
【図１】本考案に係る装身具の一例を示す図
【図２】図１の連結部の断面図
【図３】図２の連結部のＡ−Ａ線断面図
【図４】図２の連結部のＢ−Ｂ線端面図
【図５】本考案に係る連結部を有する装飾体をチェーンに用いた一例を示す図
【図６】チェーンをつなぐ際に装飾体から引き輪までの両側のチェーンの長さが異なる場合の装着例を示す図
【図７】本考案に係る連結部を有する装飾体をチェーンに用いた他の例を示す図
【図８】球形の連結部内の割りピンにチェーンが挿通している状態の一例を示す図
【符号の説明】
【００２８】
１  本体
１０  土台
１１  止着部
１２  連結部
１２０  挿通孔
１２１  割りピン
１２１ａ  隙間
２  装飾体
３  チェーン
４  引き輪
【図１】
0003144410.tif 000003
【図２】
0003144410.tif 000004
【図３】
0003144410.tif 000005
【図４】
0003144410.tif 000006
【図５】
0003144410.tif 000007
【図６】
0003144410.tif 000008
【図７】
0003144410.tif 000009
【図８】
0003144410.tif 000010